(57)【特許請求の範囲】
【請求項１】
印象を若返らせるため、拡散板を用いた照明光を被験者の顔の高さで被験者の左右前方から照射し、斜め前方４５°から撮った頭部画像の顔面領域をグレースケールで６階調表示した場合の、顔面領域の面積Ｓfaceに対する最も明るい輝度領域の面積Ｓlightの比Ｓlight/Ｓface（以下、この比を顔の立体感指数という）が１３〜２０％となるようにメイクされた被験者の顔画像と、顔の立体感指数がこの範囲外となる被験者の顔画像とを美容アドバイザーが比較提示し、かつ、
斜め前方４５°から撮った頭部画像において、顎先と目の中心を通る直線が頭部の外形線と交わる点を頭頂点とした場合の目の中心と頭頂点との距離Ｌ1と、顎先と頭頂点との距離Ｌ2との比Ｌ1/Ｌ2をヘアボリューム指数Ｉとした場合に、髪が乾燥状態のときのヘアボリューム指数Ｉdryと、髪が濡れた状態のときのヘアボリューム指数Ｉwetとの比Ｉdry/Ｉwetが１０５〜１１５％となる被験者の顔画像と、Ｉdry/Ｉwetがこの範囲外となる被験者の顔画像とを美容アドバイザーが比較提示するトータル美容アドバイス方法。
【請求項２】
身体の立位姿勢を真横から撮った画像において、(a)耳孔、(b)肩峰、(c)大転子、(d)膝関節前部、(e)外踵前部を順次結ぶ直線を、Ｌab、Ｌbc、Ｌcd、Ｌdeとした場合に、
ＬabとＬbcがなす角度が１６０°以上１８０°未満、
ＬbcとＬcdがなす角度が１６０°以上１８０°未満、
ＬcdとＬdeがなす角度が１６０°以上
となる立位姿勢を被験者がとっているときの画像と被験者が自然に立位姿勢をとっているときの画像とを美容アドバイザーが比較提示する請求項１記載のトータル美容アドバイス方法。
【請求項３】
平坦面を歩行した場合の歩幅と身長の比が０．４０〜０．５５となる歩容を被験者に確認させるために被験者が平坦面を歩行した場合の映像を撮る請求項１又は２記載のトータル美容アドバイス方法。
【発明の詳細な説明】
【技術分野】
【０００１】
本発明は、メイク方法及びヘアメイク方法を含むトータル的な美容方法のアドバイス方法に関する。
【背景技術】
【０００２】
化粧品のユーザーが、自分の好みやＴＰＯにあったメイク、ヘアスタイル及びヘアカラーを追求することのできるように、ユーザーがシミュレーション画像で化粧料やヘアスタイルを任意に変えることのできる美容シミュレーション方法が提案されている（特許文献１）。
【０００３】
一方、身体の姿勢は、健康に大きく影響することに加え、見た目の若々しさにも大きく影響する。この姿勢のバランスを客観的に測定できるようにする装置が提案されている（特許文献２）。
【先行技術文献】
【特許文献】
【０００４】
【特許文献１】特許５３２４０３１号公報
【特許文献２】特許５００１５８０号公報
【発明の概要】
【発明が解決しようとする課題】
【０００５】
シミュレーション画像で化粧料を任意に選択し、化粧方法やヘアスタイルを変化させることにより自分の好みの化粧やヘアスタイルを追求していくことはできる。また、シミュレーション画像では、他人から見た印象が、同年代の人たちに比べて美しい又は若々しいと感じる理想的な姿を得ることができる。しかしながら、シミュレーション画像で表現された化粧やヘアスタイルが、魅力的であるほど、それを実現するには、熟練された技術や専用の道具が必要になるかもしれないとの懸念がわく。即ち、各個人が日々使用する化粧料や道具を使用して、他人から見た印象が、同年代の人たちに比べて美しいと感じる化粧をしたり、若々しいと感じるヘアスタイルを作ったりすることは難しい。特に、高齢者の場合、使用したことのない化粧料を使用して化粧のシミュレーション画像を形成していくことは、それ自体が煩雑に感じられ、自らを美しく保つことのへの意欲を低減させてしまう場合がある。
【０００６】
更に、他人から見た印象として、年齢を感じさせる要因の一つに姿勢がある。姿勢が疲れた印象や歳をとった印象を与えることもある。測定器で身体の姿勢を測定すれば、姿勢についての詳細なデータを得ることができる。しかしながら、どうすれば日常の姿勢が美しく又は若々しくなるのかを理解することは難しい。
【０００７】
そこで、本発明の課題は、特別な技術や道具を使用しなくても美しさや若々しさについての効果実感が高く、シンプルで高齢者でも容易に実行することのできる美容アドバイスを提供することに関する。
【課題を解決するための手段】
【０００８】
種々の顔立ち、体型、髪型があり、また種々のメイク方法、ヘアメイク方法がある中、メイク及びヘアメイクについてそれぞれ特定の条件が満たされるようにメイクとヘアメイクを行うと、任意の被験者が手持ちの化粧料を使用してメイクやヘアメイクを行う場合でも顔の立体感と髪のボリューム感を高めることができ、顔の立体感と髪のボリューム感の相乗効果により、被験者の全体としての印象が顕著に若々しく美しくなること、したがって、被験者には、この条件が満たされるようにメイクとヘアメイクを行うことを推奨することが、被験者の全体的な印象を若々しく美しくする上で有効であることを見出し、本発明を想到した。
【０００９】
即ち、本発明は、斜め前方４５°から撮った頭部画像の顔面領域をグレースケールで６階調表示した場合の、顔面領域の面積Ｓfaceに対する最も明るい輝度領域の面積Ｓlightの比Ｓlight/Ｓface（以下、この比を顔の立体感指数という）が１３〜２０％となるようにメイクし、かつ、
斜め前方４５°から撮った頭部画像において、顎先と目の中心を通る直線が頭部の外形線と交わる点を頭頂点とした場合の目の中心と頭頂点との距離Ｌ1と、顎先と頭頂点との距離Ｌ2との比Ｌ1/Ｌ2をヘアボリューム指数Ｉとした場合に、髪が乾燥状態のときのヘアボリューム指数Ｉdryと、髪が濡れた状態のときのヘアボリューム指数Ｉwetとの比Ｉdry/Ｉwetが１０５〜１１５％となるようにヘアスタイルを整えることを推奨するトータル美容アドバイス方法を提供する。
【発明の効果】
【００１０】
被験者が、本発明にしたがい、メイクにおいて、顔の立体感指数が１３〜２０％となることを目指し、ヘアスタイルを整えるにあたり、例えばドライヤーがけ等によりＩdry/Ｉwetが１０５〜１１５％となるヘアスタイルを目指すと、任意の被験者が手持ちの化粧料を使用する場合でも、顔の立体感と髪のボリュームを改善することがでる。
【００１１】
本発明が推奨するメイクやヘアメイクは、客観的な目標値を定めることにより、シンプルな行為で実現することができるので、高齢者であっても自身でメイクやヘアメイクを行う際に実践することができる。また、これにより、高齢者がメイクやヘアメイクを含む美容全般に対して積極的になり、生活にハリがもたらされることが期待される。
【００１２】
さらに、本発明が推奨するメイク及びヘアメイクに加え、姿勢や歩容についても、本発明が推奨する特定の姿勢と歩容を被験者が目指すと、メイク、ヘアメイク、姿勢、歩容の全てを改善することによる相乗効果により、全体としての見た目の美しさと若々しさが大きく改善する。
【図面の簡単な説明】
【００１３】
【図１Ａ】図１Ａは、顔の立体感指数を１８％にメイクし、Ｉdry/Ｉwetが１０８％となるようにヘアスタイルを整えた場合の画像である。
【図１Ｂ】図１Ｂは、顔の立体感指数を１２％にメイクし、Ｉdry/Ｉwetが１０１％となるようにヘアスタイルを整えた場合の画像である。
【図１Ｃ】図１Ｃは、顔の立体感指数を２４％にメイクし、Ｉdry/Ｉwetが１１６％となるようにヘアスタイルを整えた場合の画像である。
【図２】図２は、ファンデーションの塗布方法の説明図である。
【図３】図３は、チークの塗布方法の説明図である。
【図４】図４は、ヘアボリューム指数の説明図である。
【図５】図５は、髪の頭頂部にボリュームを持たせる方法の説明図である。
【図６】図６は、立位姿勢の評価方法の説明図である。
【図７】図７は、好ましくない立位姿勢の説明図である。
【図８】図８は、レッスンカードの模式図である。
【発明を実施するための形態】
【００１４】
以下、図面を参照しつつ本発明を詳細に説明する。なお、各図中、同一符号は、同一又は同等の構成要素を表している。
【００１５】
本発明のトータル美容アドバイス方法において推奨するメイク方法は、任意の被験者の頭部を斜め前方４５°から撮り、その頭部画像の顔面領域をグレースケールで６階調表示した場合、顔面領域の面積Ｓfaceに対する最も明るい輝度領域の面積Ｓlightの比Ｓlight/Ｓfaceである顔の立体感指数が１３〜２０％となることをメイクの理想とし、顔の立体感指数がこの範囲に入るようにメイクすることを目指す方法である。ここで顔面領域には、眉、目、口等は含まれるが、髪領域や首領域は含まれない。
【００１６】
図１Ａの顔画像は顔の立体感指数が１８％、図１Ｂに示す顔画像は同指数が１２％、図１Ｃに示す顔画像は同指数が２４％である。図１Ａに示すように顔の立体感指数が１３〜２０％の範囲にある顔は、図１Ｂに示すように顔の立体感指数がこの範囲を下回る顔に比して立体感を有し、顔が若々しい印象に改善され、また、図１Ｃに示すように顔の立体感指数がこの範囲を上回る顔に比しても立体感を有し、顔が若々しい印象に改善される。
【００１７】
なお、この頭部画像を撮る場合の撮影条件としては、拡散板を用いた照明を被験者の左右前方から照射し、顔と同じ高さで１．５ｍ以内の距離から撮影することが望ましい。
【００１８】
顔の立体感指数が上述の範囲に入るようにメイクすることによる顔の印象の改善効果は、被験者の年代、顔立ち、肌色、髪型、ファンデーション又は白粉の色、アイシャドウ、チーク、ハイライトなどのポイントメークアップ化粧料の使用の有無等によらず、任意の被験者が、手持ちのファンデーションや白粉を用いて簡便に得ることができる。したがって、手持ちの化粧料の種類が少なく、日頃自身のメイクに関心が薄くなっている高齢者にとっても、簡便な方法で顔の印象を若返らせ、気持ちを明るくさせる上で有用なメイク方法となる。
【００１９】
なお、この顔の立体感指数による印象改善の効果は、本発明者が多数の被験者にメイクを行うことにより見出したものである。
【００２０】
本発明においては、顔の立体感指数を１３〜２０％とするための具体的なメイク方法として、例えば、クリーム状ファンデーションを次のように塗布することをアドバイスすることが好ましい。即ち、図２に示すように、まず、適量のファンデーションを両頬と額の中央部に置き、そこから外に向かって円を描くように指や塗布用具を滑らせながらファンデーションを塗り広げていく。また、目の周りや口の周囲では、頬の中央部や額の中央部に比してファンデーションを薄く塗り広げる。
【００２１】
この塗布方法によれば、複数の色の化粧料を組み合わせて使用することを必要とせず、ファンデーションの塗り広げ方もシンプルな動作からなるため、被験者は容易に習得することができる。
【００２２】
また、両頬と額でファンデーションを中央部から外に向かって円を描くように塗り広げるので、所定のストロークで繰り返し塗布する場合に比して、ファンデーションが肌に平滑に付着する。そのため、肌で反射した光には正反射光成分が多く含まれ、肌にツヤが感じられるようになる。また、頬や額の中心部から徐々に付着量が少なくなるため、中心部から周辺部にかけて反射光のグラデーションができることから、特に頬や額の中心部のツヤが強調される。これに対して、所定のストロークでファンデーションを繰り返し塗布すると、ファンデーションがストロークの端部に溜まってしまい、密着しないために白っぽくツヤのない肌となる。
【００２３】
また、この正反射光成分の増加によるツヤは、ファンデーションの色味には左右されない。そのため、任意の色のファンデーションで肌にツヤを持たせ、顔の立体感指数を１３〜２０％とすることにより本発明の効果を得ることができる。
【００２４】
さらに、頬や額の中央部には、シミやソバカスなどの隠したい部分が多いので、隠したい部分に付着量を多くできるこの塗布方法によれば肌を綺麗に見せることも可能となる。
【００２５】
一方、頬や額に置くファンデーションの量や、目の周りや口の周りに置くファンデーションの量によって顔の立体感指数は異なり、また、塗り広げた後の塗布厚によっても顔の立体感指数は異なる。そのため、本発明の美容アドバイス方法においては、当該被験者が当該ファンデーションを、頬、額、目の周り、及び口の周りに、それぞれ最初に置くべき量、及び塗り広げる程度をわかるようにするため、ファンデーションの使用量や塗り広げる程度を変えた被験者の顔画像を撮り、立体感指数を求め、その結果を被験者に提示することや、顔の立体感指数が１３〜２０％の範囲となるメイクの顔画像をメイクの目標として被験者に提示することが好ましい。また、顔の立体感指数が１３〜２０％の範囲となるメイク画像と、顔の立体感指数がこの範囲外となるメイクの顔画像とを比較提示することが好ましい。これにより、被験者は、自らが目標とすべきメイクが明確になり、またこの目標を達成するためのファンデーションの具体的な塗布方法を習得することができる。
【００２６】
なお、本発明の美容アドバイス方法では、必要に応じて、ファンデーションの塗布後に行うポイントメークの方法をアドバイスしてもよい。例えば、ファンデーションの塗布後にチークを塗布する場合、図３に示すように、チークを鼻脇から耳まで真横に往復させることや、ハイライトを目から下方へ目の幅の半円を描くように塗布し、周辺をぼかすことをアドバイスする。また、チークの塗布量は、チークの色に応じて、顔の立体感指数が１３〜２０％の範囲に収まる量とする。これにより、さらに顔全体の立体感を高め、メリハリをつけることができる。この塗布方法もシンプルな動作からなるため、被験者は容易に習得することができる。
【００２７】
本発明のトータル美容アドバイス方法において推奨するヘアメイク方法は、被験者を斜め前方４５°から撮った頭部画像において、図４に示すように、顎先Ａと、その頭部画像において中心よりの目（図４の場合左目）の中心Ｂを通る直線が頭部の外形線と交わる点を頭頂点Ｃとした場合の目の中心Ｂと頭頂点Ｃとの距離Ｌ1と、顎先Ａと頭頂点Ｃとの距離Ｌ2との比Ｌ1/Ｌ2をヘアボリューム指数Ｉとした場合に、髪が乾燥状態のときのヘアボリューム指数Ｉdryと、髪が濡れた状態のときのヘアボリューム指数Ｉwetとの比Ｉdry/Ｉwetが１０５〜１１５％となるようにヘアスタイルを整えることを推奨する方法であり、具体的にはそのようなヘアボリューム指数の乾燥状態となるようにドライヤーがけ等で髪にボリュームを持たせ、その後、髪のボリュームを維持しつつ髪を所望のヘアスタイルに整える方法である。
【００２８】
図１Ａの顔画像はＩdry/Ｉwetが１０８％、図１Ｂに示す顔画像はＩdry/Ｉwetが１０１％、図１Ｃに示す顔画像はＩdry/Ｉwetが１１６％である。これらの図からもわかるように、Ｉdry/Ｉwetが１０５〜１１５％となるように、一旦、髪にボリュームを持たせ、その後にヘアスタイルを整えると、顔の印象を若々しくすることができる。
【００２９】
即ち、一般に、頭頂部のつむじ周辺の髪がねたり、つむじ周辺の髪が薄くなってつむじが外観上目立つようになると、老けた印象となるが、本発明にしたがって頭頂部の髪にボリュームをもたせることにより、ヘアスタイルを整えた後のヘアボリューム指数Ｉが大きくなり、顔の印象を若々しくすることができる。
【００３０】
なお、被験者が所望のヘアスタイルに髪を整える前に、Ｉdry/Ｉwetが１０５〜１１５％となるようにドライヤーを掛けると、ヘアスタイルの如何を問わず被験者の印象が若々しく、美しくなることは、本発明者が多数の被験者にヘアメイクを行うことにより見出したものである。
【００３１】
また、被験者に、現在の髪型を基準とし、現在の髪型と理想の髪型との比率を指数として、所定の数値となるようにアドバイスすることも考えられるが、基準となる髪型がその時々で異なり客観的な値とならないので直接的に評価することは好ましくない。これに対し、Ｉdry/Ｉwet、すなわちＷＥＴ状態を基準とした比率にすると、ＷＥＴ状態のヘアボリューム指数は髪型によらず略一定となるので任意の髪型について髪がボリュームアップされているかを客観的に評価することができる。したがって、ヘアメイクにおいて、Ｉdry/Ｉwetを１０５〜１１５％とすることは、任意の髪型にとって好ましい目標となる。
【００３２】
本発明においては、Ｉdry/Ｉwetが１０５〜１１５％となるように髪にボリュームをもたせるためのより具体的方法を被験者にアドバイスすることが好ましく、例えば、被験者が髪を所望のヘアスタイルに整える前に、まず、少なくとも髪の根元を濡らし、図５に示すように、髪１の根元を起こすようにしてドライヤー２で髪の根元に風をあてることをアドバイスする。
【００３３】
この場合、髪をどのように起こし、ドライヤーをどの程度かけるとＩdry/Ｉwetが１０５〜１１５％となるかを被験者に習得させるため、髪の起こし方やドライヤーの当て方を変えて複数の被験者の顔画像を撮り、それぞれについてＩdry/Ｉwetを算出し、算出したＩdry/Ｉwetの数値と共に、顔画像を被験者に比較提示することが好ましい。
【００３４】
また、顔の立体感指数が１３〜２０％の範囲となるメイクをし、Ｉdry/Ｉwetが１０５〜１１５％となるようにヘアスタイルを整えたときの被験者の顔画像を、被験者の目標として提示することにより、被験者が、他人視線による理想的な姿を視認することができる。
【００３５】
さらに、Ｉdry/Ｉwetが１０５〜１１５％となるようにヘアスタイルを整えた目標とする被験者の顔画像と、Ｉdry/Ｉwetが１０５％未満又は１１５％超となるようにヘアスタイルを整えたときの被験者の顔画像とを被験者に比較提示することが好ましい。また、目標とする顔画像と、顔の立体感指数とヘアボリューム指数の比とのいずれかが範囲外である顔画像を比較提示することにより、２種の指数による見かけ効果の違いを示してもよい。
【００３６】
なお、本発明が推奨するヘアメイク方法においては、必要に応じて、ドライヤーをかける前、又は後に、毛髪化粧料を使用してもよい。
【００３７】
また、髪にドライヤーをかけて頭頂部にボリュームを持たせた後のヘアスタイルは、頭頂部のボリュームが損なわれない限り特に限定はなく、例えば、ショート、ミディアム、ロングのいずれの長さでもよい。
【００３８】
本発明のトータル美容アドバイス方法においては、上述のメイク及びヘアメイクのアドバイスと共に望ましい姿勢についてもアドバイスすることが好ましい。より具体的には、図６に示すように、身体の立位姿勢を真横から撮った画像において、(a)耳孔、(b)肩峰、(c)大転子、(d)膝関節前部、(e)外踵前部を順次結ぶ直線を、Ｌab、Ｌbc、Ｌcd、Ｌdeとした場合に、
ＬabとＬbcがなす角度θ1が１６０°以上１８０°未満、
ＬbcとＬcdがなす角度θ2が１６０°以上１８０°未満、
ＬcdとＬdeがなす角度θ3が１６０°以上
となる立位姿勢を作ることを推奨する。
【００３９】
この立位姿勢を目指すことにより、被験者は、高齢者にありがちな、図７（ａ）に示す肩が前に出て尻が後ろに出る姿勢や、図７（ｂ）に示す腰が前に反って腹が前に突き出る姿勢や、図７（ｃ）に示す腹が屈曲して尻が下がる姿勢になり難くなり、見た目の印象が若々しくなる。
【００４０】
本発明においては、角度θ1、θ2、θ3が所定の角度を満たす上述の立位姿勢をとることを被験者に習得させるため、アドバイスの中で、ストレッチ等の簡単な運動を取り入れてもよい。例えば、被験者に５秒以上ゆっくり息を吸いながら腕を横に伸ばし、その腕を肩のラインまで上げ、さらに５秒以上かけて息を吐きながら腕を下ろすというストレッチを行い、ストレッチ後の立位姿勢を被験者に確認させることが好ましい。被験者は、ストレッチ後に立位姿勢を確認することにより、現時点での自然な立位姿勢を自らチェックすることができる。
【００４１】
また、被験者が自然に立位姿勢をとっているときの画像と、意識的に上述の立位姿勢をとっているときの画像を撮り、被験者に比較提示することが好ましい。
【００４２】
本発明のトータル美容アドバイス方法においては、さらに、望ましい歩容についても被験者にアドバイスすることが好ましい。より具体的には、被験者が平坦面を歩行した場合に、歩幅と身長の比が０．４０〜０．５５となるように歩くことを推奨する。
【００４３】
この歩容は、被験者が平坦面を約５ｍ歩行した場合の映像を撮ることにより確認することができる。
【００４４】
歩幅と身長の比が０．４０〜０．５５となる歩容で被験者が歩くとき、被験者は背を伸ばし、大きく手を振って歩き、若々しい歩容となる。したがって、本発明においては、被験者がこの歩容を習得するため、例えば、適正な腕ふりと歩幅をアドバイスすることが好ましい。
【００４５】
本発明のトータル美容アドバイス方法においては、上述のメイク方法やヘアメイク方法を習得させ、また、望ましい姿勢や歩容を習得させるにあたり、複数名を同時に被験者とするグループレッスンを行っても良い。これにより、被験者同士でファンデーションの塗布方法、ヘアメイク方法、立位姿勢、及び歩容を評価することが可能となり、自らの印象を若々しく美しくしたいという意欲を高めることができる。
【００４６】
また、本発明の美容アドバイス方法において、被験者に上述のメイク方法やヘアメイク方法を習得させ、また、望ましい姿勢や歩容を習得させるにあたり、メイク、ヘアメイク、姿勢及び歩行に関する被験者ごとの具体的な指導内容をカードに表示したものを被験者に配布したり、所定日数をあけて繰り返し指導し、効果確認を行うことが好ましい。
【００４７】
例えば、図８に示すように、各レッスン後に、当該レッスンで習得した方法と効果を確認できるように、レッスン前の顔画像、レッスン後の顔画像、及びレッスンのポイントを記載したレッスンカード３を配布する。このレッスンカード３には、被験者自らの目標とする顔画像を表示することが好ましい。
【実施例】
【００４８】
以下、実施例により本発明を具体的に説明する。
比較例１
４５〜５５歳で、髪型がショート又はセミロングの女性４名を被験者とし、髪を濡らさず、各被験者の日常の方法でヘアスタイルを整えてもらった。また、各被験者に、市販のクリーム状ファンデーション（Ａ）を各被験者の日常の塗布方法で塗布してもらった。
【００４９】
次いで、各被験者の斜め前方４５°から頭部画像を撮り、ヘアボリューム指数Ｉを求めた。また、この頭部画像の顔面領域について、顔の立体感指数を次のようにして求めた。
即ち、画像の撮影は、照明は２台（サンテック社ＣＮ−６００ＨＳ）を被験者の左右前方より照射した。カメラはＮＩＫＯＮ社Ｄ−６００を使用し、被験者の顔と水平の高さで約１．２ｍの距離から撮影した。
顔の立体感指数の算出は、市販の画像編集ソフトであるＡｄｏｂｅ社Ｐｈｏｔｏｓｈｏｐの輝度ヒストグラム表示機能を用い、各輝度領域の画素数を求めてその比率を算出することにより行った。
【００５０】
さらに、美容の専門技術者を評価者として、各被験者の実年齢に対する見た目の若々しさを次の基準で評価した。結果を表１に示す。
１：まったく若々しく感じられない
２：あまり若々しく感じられない
３：やや若々しく感じる
４：とても若々しく感じる
【００５１】
比較例２
比較例１と同じ被験者に、一旦髪を濡らし、髪の根元を起こしつつ、髪の根元にドライヤーの風があたるようにして髪を乾かし、次いでヘアスタイルを整えてもらった。この場合、ドライヤーで髪を乾かす前と、髪を乾かしてヘアスタイルを整えた後の２ショットについて、比較例１と同様にして頭部画像を撮った。この際、ドライヤーで髪を乾かす前の頭部画像からＩwetを求め、ドライヤーで髪を乾かした後の頭部画像からＩdryを求め、ヘアボリューム指数Ｉdry/Ｉwetを求めた。また、ドライヤーがけでは、Ｉdry/Ｉwetが、１０５〜１１５％となるように、美容アドバイザーがドライヤーのかけ方を指導した。
【００５２】
一方、メイクは比較例１と同様にしてもらった。
【００５３】
次に、比較例１と同様にして見た目の若々しさを評価した。結果を表１に示す。
【００５４】
比較例３
比較例１のヘアスタイルを維持したまま、メイクを次のように行った。
比較例１と同じファンデーションＡを使用し、そのファンデーションＡの適量を頬と額の中央部にとりそこから外に向かって円を描くように塗り広げた。また、目の周りや口の周りにも同じファンデーションを塗り広げたが、頬や額よりも薄く塗った。この場合、各被験者には、ファンデーションの使用量や、塗り広げ方に関し、顔の立体感指数が１３〜２０％の範囲になるように美容アドバイザーが指導した。ファンデーションの塗布後、比較例１と同様に顔画像を撮り、顔の立体感指数を求めた。
【００５５】
また、比較例１と同様にして見た目の若々しさを評価した。結果を表１に示す。
【００５６】
実施例１
比較例１と同じ被験者に、比較例２と同様にヘアスタイルを整えてもらい、ヘアボリューム指数Ｉdry/Ｉwetを求めた。
【００５７】
また、比較例３と同様にしてファンデーションＡを塗布し、顔画像を撮り、顔の立体感指数を求めた。
【００５８】
さらに、比較例１と同様にして見た目の若々しさを評価した。結果を表１に示す。
【００５９】
以上の結果を表１に示す。表１から、顔の立体感指数が１３〜２０％となることを目標にファンデーションを塗布し、かつヘアスタイルを整える前に、ドライヤーでＩdry/Ｉwetが１０５〜１１５％となるように髪をボリュームアップさせると、見た目の若々しさが顕著に向上することがわかる。
【００６０】
【表１】
0006515459.tif 000002
【産業上の利用可能性】
【００６１】
本発明のトータル美容アドバイス方法は、手持ちの化粧料でシンプルに実施できる内容でありながら、顔立ち、体型、髪型等に関わらず、被験者を若々しく美しくする効果をもたらすので、広い世代の被験者に有用となり、特に、高齢者を対象とする美容アドバイス方法として有用である。
【符号の説明】
【００６２】
１    髪
２    ドライヤー
３    レッスンカード
【図１Ａ】
0006515459.tif 000003
【図１Ｂ】
0006515459.tif 000004
【図１Ｃ】
0006515459.tif 000005
【図２】
0006515459.tif 000006
【図３】
0006515459.tif 000007
【図４】
0006515459.tif 000008
【図５】
0006515459.tif 000009
【図６】
0006515459.tif 000010
【図７】
0006515459.tif 000011
【図８】
0006515459.tif 000012